(57)【要約】【課題】  建築物を高層化した場合でも東西南北全ての居室の日当たりを良好にすることができるとゝもに、内部空間の風通しを良好にすることが可能な介護施設等の建築物を提供する。【解決手段】  複数の居室を、小径円弧側が南を向き、大径円弧側が北を向く平面視略逆卵型に配設してなる筒状の居室棟２を備え、該居室棟２に囲まれた内部空間Ｓに、小径円弧側が北を向き、大径円弧側が南を向く平面視略卵型の中央棟３を配設するとゝもに、該中央棟３を居室棟２の内部空間Ｓにおける南寄りに配設した構成としてある。【選択図】  図１
2005068813.tif 000002
【特許請求の範囲】
【請求項１】
複数の居室を、小径円弧側が南を向き、大径円弧側が北を向く平面視略逆卵型に配設し
てなる筒状の居室棟を備えたことを特徴とする介護施設等の建築物。
【請求項２】
前記居室棟に囲まれた内部空間に、小径円弧側が北を向き、大径円弧側が南を向く平面
視略卵型の中央棟を配設したことを特徴とする請求項１記載の介護施設等の建築物。
【請求項３】
前記中央棟を、前記居室棟の内部空間における南寄りに配設したことを特徴とする請求
項２記載の介護施設等の建築物。
【請求項４】
前記居室棟及び中央棟を複数階とするとゝもに、前記中央棟の各階の小径円弧側を上階
ほど面積が小さくなる段差状としたことを特徴とする請求項２又は３記載の介護施設等の
建築物。
【請求項５】
前記居室棟及び中央棟を複数階とするとゝもに、前記中央棟の各階を前記居室棟の各階
の中間の高さとなるようにしたことを特徴とする請求項２〜５のうちいずれか一つに記載
の介護施設等の建築物。
【請求項６】
前記中央棟の各階の東側と西側のそれぞれに、前記居室棟の各階に向かう一対の昇降ス
ロープ又は階段を設け、北寄りのスロープ又は階段を昇り、南寄りのスロープ又は階段を
降りとしたことを特徴とする請求項５記載の介護施設等の建築物。
【請求項７】
前記居室棟の各階の内側に、各居室の出入口と連続する環状のリラックスヤードをそれ
ぞれ設置するとゝもに、各リラックスヤードの北側の面積を広くしたことを特徴とする請
求項４〜６のうちいずれか一つに記載の介護施設等の建築物。
【請求項８】
前記居室棟の各階に設けたリラックスヤードの小径円弧側を上階ほど面積が小さくなる
段差状としたことを特徴とする請求項７記載の介護施設等の建築物。
【請求項９】
前記居室棟の全部又は一部の階の東西南北の位置近傍に前記居室を設けず空間とし、該
空間を前記居室棟の内外に連通する通風路としたことを特徴とした請求項１〜８のうちい
ずれか一つに記載の介護施設等の建築物。
【請求項１０】
前記居室棟に囲まれた内部空間の二階以上の高さに天井を設け、該内部空間の少なくと
も一階部分を平面視略逆卵型の多目的ホールとしたことを特徴とする請求項１〜９のうち
いずれか一つに記載の介護施設等の建築物。
【発明の詳細な説明】
【技術分野】
【０００１】
本発明は介護施設等の建築物に関し、特に、介護老人保健施設，特別養護老人ホーム，
病院，マンション，ホテルなどに好適な建築物に関する。
【背景技術】
【０００２】
太陽は東から昇り南を通過して西へ沈むので、南に面した部屋にはほぼ一日中日が当た
り、北に面した部屋にはほぼ一日中日が当たらない。そこで、出願人は先に、複数の居室
ハウジングを平面視円形に配置した居室ハウジング群を形成するとゝもに、隣り合う前記
居室ハウジングの側面部相互間に外方向へ向け広がる平面視Ｖ字状の採光用空間部を形成
し、前記居室ハウジング群に囲まれた内部空間に平面視矩形の中央管理室を配設した構成
の介護施設等の建築物を提案した（特開２００３−５６１９４号公報）
【０００３】
上記構成によれば、各居室ハウジングに前記内部空間に面した側及び内部空間と反対側
に形成した前記採光用空間部に面した側にそれぞれ窓を設けることで、東西南北のどこに
位置する居室ハウジングであっても一日中採光が良好なものとなる。例えば、北側に位置
する居室ハウジングには、前記内部空間に面した南向きの窓を設けることにより、南側に
位置する居室ハウジングと同様にほぼ一日中日当たりが良好になるとゝもに、北側に面す
る側からも採光用空間部から採光できる。
【特許文献１】特開２００３−５６１９４号公報
【発明の開示】
【発明が解決しようとする課題】
【０００４】
しかし、上述した従来の介護施設等の建築物は、前記内部空間における採光性の向上を
最大限に追求した構成となっていなかった。すなわち、上述した従来の介護施設等の建築
物では、各居室の視認性を重視して前記居室ハウジング群及び中央管理室をそれぞれ円形
及び矩形としていたが、高層化した場合は北側の各居室ハウジングが南側の居室ハウジン
グ群及び中央管理室の影になってしまうという問題があった。
【０００５】
また、上述した従来の介護施設等の建築物では、各居室ハウジングの三面又は四面に窓
を設けて各居室ハウジングの風通しを良好にしているが、前記居室ハウジング群が内部空
間の風通しを考慮した構成となっていなかった。このため、前記居室ハウジング群及び中
央管理室を高層化した場合は前記内部空間の風通しが悪くなるという問題もあった。
【０００６】
本発明は、上記の問題点に鑑みて更なる改善をなしたものであり、建築物を高層化した
場合でも東西南北全ての居室の日当たりを良好にすることができるとゝもに、内部空間の
風通しを良好にすることが可能な介護施設等の建築物を提供することを目的とする。
【課題を解決するための手段】
【０００７】
上記の目的を達成するため、請求項１に係る本発明の介護施設等の建築物は、複数の居
室を、小径円弧側が南を向き、大径円弧側が北を向く平面視略逆卵型に配設してなる筒状
の居室棟を備えた構成としてある。
【０００８】
請求項２に係る本発明の介護施設等の建築物は、前記居室棟に囲まれた内部空間に、小
径円弧側が北を向き、大径円弧側が南を向く平面視略卵型の中央棟を配設した構成として
ある。
【０００９】
請求項３に係る本発明の介護施設等の建築物は、前記中央棟を前記居室棟の内部空間に
おける南寄りに配設した構成としてある。
【００１０】
請求項４に係る本発明の介護施設等の建築物は、前記居室棟及び中央棟を複数階とする
とゝもに、前記中央棟の各階の小径円弧側を上階ほど面積が小さくなる段差状とした構成
としてある。
【００１１】
請求項５に係る本発明の介護施設等の建築物は、前記居室棟及び中央棟を複数階とする
とゝもに、前記中央棟の各階を前記居室棟の各階の中間の高さとなるようにした構成とし
てある。
【００１２】
請求項６に係る本発明の介護施設等の建築物は、前記中央棟の各階の東側と西側のそれ
ぞれに、前記居室棟の各階に向かう昇降スロープ又は階段を設け、北寄りのスロープ又は
階段を昇り、南寄りのスロープ又は階段を降りとした構成としてある。
【００１３】
請求項７に係る本発明の介護施設等の建築物は、前記居室棟の各階の内側に、各居室の
出入口と連続する環状のリラックスヤードをそれぞれ設置するとゝもに、各リラックスヤ
ードの北側の面積を広くした構成としてある。
【００１４】
請求項８に係る本発明の介護施設等の建築物は、前記居室棟の各階に設けたリラックス
ヤードの小径円弧側を上階ほど面積が小さくなる段差状とした構成としてある。
【００１５】
請求項９に係る本発明の介護施設等の建築物は、前記居室棟の全部又は一部の階の東西
南北の位置近傍に前記居室を設けず空間とし、該空間を前記居室棟の内外に連通する通風
路とした構成としてある。
【００１６】
請求項１０に係る本発明の介護施設等の建築物は、前記居室棟に囲まれた内部空間の二
階以上の高さに天井を設け、該内部空間の少なくとも一階部分を平面視略逆卵型の多目的
ホールとした構成としてある。
【発明の効果】
【００１７】
請求項１に係る本発明の介護施設等の建築物によれば、前記居室棟に囲まれた内部空間
に影を作る南側を小径円弧、該内部空間において日光を受ける北側を大径円弧としたこと
により、前記内部空間の北側に影が出来にくくなり、前記居室棟を高層化した場合でも北
側の各居室の採光性を良好とすることができる。
【００１８】
請求項２に係る本発明の介護施設等の建築物によれば、前記中央棟の南側を大径円弧と
したことにより、該中央棟の採光性を良好とすることができる。また、前記中央棟の北側
を小径円弧としたことにより、前記内部空間の北側に該中央棟の影が出来にくくなり、前
記居室棟及び中央棟を高層化した場合でも北側の各居室の採光性を良好とすることができ
る。
【００１９】
請求項３に係る本発明の介護施設等の建築物によれば、前記中央棟を内部空間の北側か
ら離れた位置に配設したことによって、該内部空間の北側に前記中央棟の影が出来にくく
なり、北側の各居室の採光性を良好とすることができる。
【００２０】
請求項４に係る本発明の介護施設等の建築物によれば、前記中央棟の各階の小径円弧側
を上階ほど面積が小さくなる段差状としたことによって、前記内部空間の北側に入射する
日光の量を増大させることができ、北側の各居室の採光性を良好とすることができる。
【００２１】
請求項５に係る本発明の介護施設等の建築物によれば、前記中央棟の各階を前記居室棟
の各階の中間の高さとしたことにより、前記中央棟の１フロアから前記居室棟の２フロア
を一望することができ、少ない人数で前記居室棟の各居室内を常時監視することが可能と
なる。
【００２２】
請求項６に係る本発明の介護施設等の建築物によれば、北寄りのスロープ又は階段を昇
り、南寄りのスロープ又は階段を降りとしたことによって、降りスロープ又は階段が昇り
スロープ又は階段の影にならず、両昇降スロープ又は階段の採光性を良好とすることがで
きる。
【００２３】
請求項７に係る本発明の介護施設等の建築物によれば、各リラックスヤードの北側の面
積を広くしたことによって、前記内部空間の北側に入射する直射日光を緩和しつつ、該日
光を各リラックスヤードに反射させ、北側の各居室に間接的に照射することができる。
【００２４】
請求項８に係る本発明の介護施設等の建築物によれば、前記居室棟の各階に設けたリラ
ックスヤードの小径円弧側を上階ほど面積が小さくなる段差状としたことによって、前記
内部空間の南側に入射する日光の量を増大させることができ、前記中央棟の採光性を良好
とすることができる。
【００２５】
請求項９に係る本発明の介護施設等の建築物によれば、前記居室棟の内外に連通する通
風路を形成したことによって、該居室棟に囲まれた内部空間の風通しを良好とすることが
できる。
【００２６】
請求項１０に係る本発明の介護施設等の建築物によれば、当該多目的ホールをロビー，
デイルーム，運動場，劇場，コンサートホール等として利用することができる。
【発明を実施するための最良の形態】
【００２７】
以下、本発明の実施形態に係る介護施設等の建築物について、図面を参照しつつ説明す
る。図１，図２及び図３（ａ），（ｂ）において、１は本実施形態に係る５階建てのユニ
ットケア用の介護老人保健施設（介護施設等の建築物）である。
【００２８】
ここで、ユニットケアについて簡単に説明すると、ユニットケアとは、介護施設を複数
のユニット（生活単位）に分けて家庭的・人間的な介護を目指すものであり、例えば、定
員５０名の特別養護老人ホームを４つのユニットに分け、１ユニットを１０〜１５人で構
成する。各ユニット毎に、談話室，食堂，キッチン，トイレなどの共同スペースと、居室
（入居者の個人部屋）の個人スペースとを備える。各ユニットを２，３人の介護スタッフ
が担当し、大家族規模の集団で一般家庭の日常生活に近い内容の介護を行う。
【００２９】
本実施形態に係る介護老人保健施設１は、老人介護の場となる居室棟２と、医者や介護
スタッフが常駐する中央棟３とからなっている。居室棟２は、小径円弧側が南を向き、大
径円弧側が北を向く平面視略逆卵型の筒状としてある。このように、居室棟２に囲まれた
内部空間Ｓに影を作る南側を小径円弧、該内部空間において日光を受ける北側を大径円弧
としたことにより、内部空間Ｓの北側に影が出来にくくなり、居室棟２を高層化した場合
でも北側の各居室の採光性を良好とすることができる。
【００３０】
該居室棟２の１階部分はデイサービスフロア１０となっており、２〜５階部分はユニッ
トケアフロア２０，３０，４０，５０となっている。なお、屋上６０は芝や植木を植生す
ることで緑化を図っている。
【００３１】
デイサービスフロア１０は、各ユニットの入居者全員が共同で使用する設備を配置した
パブリックスペースであり、真南のメインエントランス１１の他、図示しない受付，ロビ
ー，機能回復訓練室，共同浴室，娯楽室，階段，エレベータ等が設けてある。また、居室
棟２に囲まれた内部空間のほぼ２階の高さにサンルーフ（天井）１２を設け、内部空間Ｓ
の１階部分を平面視略逆卵型の多目的ホール１３としてある。該多目的ホール１３は、デ
イルーム，運動場，劇場，コンサートホール等として利用することができる。
【００３２】
各ユニットケアフロア２０，３０，４０，５０は、１フロアの定員が２０名で、それぞ
れ図２に示す２点鎖線Ｌを境に片側１ユニット１０人ずつ２ユニットを収容する構成とな
っている。具体的に、鎖線Ｌを境に片側には、それぞれ図示しない５つの２人用居室と、
各ユニット専用の談話室，食堂，キッチン，トイレ，事務室，階段，エレベータ等とが設
けてある。
【００３３】
また、各ユニットケアフロア２０，３０，４０，５０の東西南北の位置近傍に前記居室
等の設備を設けず四つの空間を形成し、各空間を居室棟２の内外に連通する通風路２１，
３１，４１，５１としてある。これにより、居室棟２に囲まれた内部空間Ｓの風通しを良
好とすることができる。
【００３４】
さらに、各ユニットケアフロア２０，３０，４０，５０の内側には、各居室の出入口と
連続する環状の床部であるリラックスヤード２２，３２，４２，５２がそれぞれ延設して
あり、各リラックスヤード２２，３２，４２，５２の北側の面積を広くしてある。これに
より、内部空間Ｓの北側に入射する直射日光を緩和しつつ、該日光を各リラックスヤード
２２，３２，４２，５２に反射させ、北側の各居室に間接的に照射することができる。
【００３５】
一方、中央棟３は、大径円弧側が南を向き、小径円弧側が北を向く平面視略卵型の塔で
ある。南側を大径円弧としたことにより、該中央棟３の採光性を良好とすることができ、
また、北側を小径円弧としたことにより、内部空間Ｓの北側に中央棟３の影が出来にくく
なり、居室棟２及び中央棟３を高層化した場合でも北側の各居室の採光性を良好とするこ
とができる。
【００３６】
さらに、中央棟３は、居室棟２に囲まれた内部空間Ｓの南寄りに配設してある。これに
より、中央棟３が内部空間Ｓの北側から離れ、該内部空間Ｓの北側に中央棟３の影が出来
にくくなり、北側の各居室の採光性を良好とすることができる。
【００３７】
中央棟３は、居室棟２の２階の中間高さの３本の支柱，これら支柱に支持され、サンル
ーフ１２より上方に突き出た第１サービスステーション７０，中央管理センタ８０及び第
２サービスステーション９０で構成してある。
【００３８】
また、図３（ｂ）に示すように、これら第１サービスステーション７０，中央管理セン
ター８０及び第２サービスステーション９０の各小径円弧側を上階ほど面積が小さくなる
段差状としてある。これにより、内部空間Ｓの北側に入射する日光（図中矢印は冬至の日
射角を示す）の量を増大させることができ、北側の各居室の採光性を良好とすることがで
きる。
【００３９】
なお、図４に示すように、居室棟２の各リラックスヤード２２，３２，４２，５２の小
径円弧側（南側）を上階ほど面積が小さくなる段差状としてもよい。これにより、内部空
間Ｓの南側に入射する日光の量を増大させることができ、中央棟３の採光性を良好とする
ことができる。
【００４０】
第１サービスステーション７０は、居室棟２の２階と３階の中間高さに位置しており、
居室棟２の２階と３階を３６０°監視可能となっている。該第１サービスステーション７
０には、看護婦や介護スタッフなどの詰所や医療器具などの設備が完備してあり、専ら２
階と３階の居住者の利用に供される。
【００４１】
中央管理センタ８０は、居室棟２の３階と４階の中間高さに位置しており、全ての入居
者の医療ケアを行うことを目的としている。該中央管理センタ８０には、診察室や静養室
などの診療設備が完備してあり、入居者はここで医師の診療を受けることができる。
【００４２】
第２サービスステーション９０は、居室棟２の４階と５階の中間高さに位置しており、
居室棟２の４階と５階を３６０°監視可能となっている。該第２サービスステーション９
０には、第１サービスステーション７０と同様の設備が完備してあり、専ら４階と５階の
居住者の利用に供される。
【００４３】
居室棟２と中央棟３は、東側と西側のそれぞれに設けた昇降スロープ４，５により連絡
してあり、北寄りに設けたスロープ４を昇り、南寄りに設けたスロープ５を降りとしてあ
る。これにより、降りスロープ５が昇りスロープ４の影にならず、両昇降スロープ４，５
の採光性を良好とすることができる。また、昇降階段ではなく昇降スロープ４，５とする
ことにより、車椅子での移動が容易となる。
【００４４】
このような構成からなる本実施形態に係る介護老人保健施設１によれば、図５（ａ），
（ｂ）に示すように、午前９時及び１０時３０分では、北〜東，東〜南に位置する居室が
外側から日光を受け、南〜西，西〜北に位置する居室が内側（内部空間Ｓ側）から日光を
受ける。また、図５（ｃ）に示すように、午後１２時では、東〜南，南〜西に位置する居
室が外側から日光を受け、西〜北，北〜東に位置する居室が内側から日光を受ける。
【００４５】
さらに、図５（ｄ），（ｅ）に示すように、午後１時３０分及び３時では、南〜西，西
〜北に位置する居室が外側から日光を受け、北〜東，東〜南に位置する居室が内側から日
光を受ける。したがって、居室棟２及び中央棟３を高層化した場合でも、東西南北全ての
居室の日当たりを一日中良好とすることができる。
【００４６】
また、本実施形態に係る介護老人保健施設１によれば、図６に示すように、居室棟２及
び中央棟３を高層化した場合でも、東西南北の４か所に設けた通風路２１，３１，４１，
５１から内部空間Ｓへ風が出入りするので、該内部空間Ｓの風通しを良好とすることがで
きる。
【００４７】
ここで、図７に示すように、北側の居室をリラックスヤード２２，３２，４２，５２の
内側に配置し、これら居室の両側に北東及び北西に位置する２つの通風路２１，３１，４
１，５１を設けた構成としてもよい。このような構成とした場合は、通風路２１，３１，
４１，５１の数が増大し、内部空間Ｓの風通しを更に良好とすることができるとゝもに、
北側の居室に日光が直接照射され、該北側の居室の採光性を良好とすることができる。
【００４８】
なお、本発明の介護施設等の建築物は、上述した実施形態に限定されるものではなく、
例えば、本建築物の本質的な構成は、上記介護老人保健施設１に限らず、特別養護老人ホ
ームや病院，マンション，ホテルなどに応用することもできる。
【図面の簡単な説明】
【００４９】
【図１】本発明の実施形態に係る介護施設等の建築物を示す全体斜視図である。
【図２】上記建築物の各階の構成を示す分解斜視図である。
【図３】同図（ａ），（ｂ）は図１のＡ−Ａ断面図，Ｂ−Ｂ断面図である。
【図４】上記建築物の南側フロアの変更例を示すＢ−Ｂ断面図である。
【図５】同図（ａ）〜（ｅ）は上記建築物の冬至における採光性のシュミレーション結果を示す説明図である。
【図６】上記建築物の通風性を説明するための平面図である。
【図７】上記建築物の通風路の変更例を示す平面図である。
【符号の説明】
【００５０】
１  介護老人保健施設（介護施設等の建築物）
２  居室棟
３  中央棟
４  昇りスロープ
５  降りスロープ
１０  デイサービスフロア
１１  メインエントランス
１２  サンルーフ（天井）
１３  多目的ホール
２０，３０，４０，５０  ユニットケアフロア
２１，３１，４１，５１  通風路
２２，３２，４２，５２  リラックスヤード
６０  屋上
７０  第１サービスステーション
８０  中央管理センター
９０  第２サービスステーション
Ｓ  内部空間
【図１】
2005068813.tif 000003
【図２】
2005068813.tif 000004
【図３】
2005068813.tif 000005
【図４】
2005068813.tif 000006
【図５】
2005068813.tif 000007
【図６】
2005068813.tif 000008
【図７】
2005068813.tif 000009